(57)【要約】【課題】消磁コイルに流す減衰交流電流を増大させることなく、シャドウマスクのコーナー付近においても十分なデガウス効果の得られる受像管装置を提供すること。【解決手段】ガラスバルブ２２の外周に沿い、上下に対向して設けられた一対の消磁コイル３４，３６を有し、カラー受像管装置１０を背面から見た状態（ガラスバルブ２２のネック部から見た状態）で、各消磁コイル３４，３６が、シャドウマスク２６の各コーナー部３６Ｃに対応する部分において、当該コーナー部３６Ｃを取り囲むようなループ部３４Ｌ，３６Ｌを備える。【選択図】          図３
2004304345.tif 000002
【特許請求の範囲】
【請求項１】
略方形をしたフェースパネルと、ネック部を有するファンネルとが接合されてなるガラスバルブと、
略方形状をし、前記フェースパネル内面に沿って配された色選別電極と、
前記ガラスバルブ外周に沿い、上下に対向して設けられた一対の消磁コイルとを有し、
ネック部側から見た状態で、前記各消磁コイルは、色選別電極の各コーナー部毎に当該コーナー部を取り囲むような少なくとも１重のループ部を有することを特徴とする受像管装置。
【請求項２】
前記各消磁コイルは、前記色選別電極の上下辺に沿った平行部を有し、
前記ループ部の一部が前記平行部の一部と重なるように形成されていることを特徴とする請求項１記載の受像管装置。
【請求項３】
略方形をしたフェースパネルと、ネック部を有するファンネルとが接合されてなるガラスバルブと、
略方形状をし、フェースパネル内面に沿って配された色選別電極と、
前記ガラスバルブ外周に沿い、上下に対向して設けられた一対の主消磁コイルと、
ネック部側から見て、前記色選別電極の各コーナー部毎に、前記ガラスバルブ外周に沿い、対応するコーナー部を取り囲むように巻回された補助消磁コイルと、
を備えたことを特徴とする受像管装置。
【請求項４】
前記主消磁コイルは、色選別電極の上下辺に沿った平行部を有し、
前記各補助コイルは、その一部が前記平行部の一部と重なるように形成されていることを特徴とする請求項３記載の受像管装置。
【発明の詳細な説明】
【０００１】
【発明の属する技術分野】
本発明は、受像管装置に関し、特に、磁気シールドによるシールド効果の改善技術に関する。
【０００２】
【従来の技術】
地磁気その他の外部磁界の影響により、電子銃から射出された電子ビームの軌道が変化する。その結果、カラー受像管の場合には、３本の電子ビームが蛍光体スクリーンの正規の位置にランディングしなくなって色ずれが生じる。
このような影響を避けるため、電子ビームに対して適当な磁気シールドが設けられる。当該磁気シールドとしては、磁性材で作製されているシャドウマスクをその一部とし、当該シャドウマスクに、電子銃から蛍光体スクリーンに向いファンネル内面に沿って拡がる角錐枠体からなる内部磁気シールドを溶接接合して構成されたものが知られている。
【０００３】
さらにシールド効果を向上させるため、磁気シールドを外部磁界に対応して磁化する操作が行なわれる（例えば、特許文献１参照。）。当該操作は、デガウス（消磁）操作と称される。ここで、デガウス操作とは、磁気シールドを磁気回路と考えた場合に、バイアス磁界である地磁気を含む外部磁気の存在下で、磁気シールドに減衰交番磁界を印加する操作である。
【０００４】
デガウス操作には、ファンネル外周に設けた消磁コイルを用いる。消磁コイルを備えたカラー受像管装置３００を図７に示す。なお、図７（ａ）は側面図を、図７（ｂ）は、背面図をそれぞれ示している。
図７に示すように、ファンネル３０２内には、シャドウマスク３０４と内部磁気シールド３０６で構成される磁気シールド３０８が設けられており、ファンネル３０２外周の上下に対向して一対の消磁コイル３１０，３１２が配されている。
【０００５】
この消磁コイル３１０，３１２に減衰交流電流を流して減衰交番磁界を発生させる。こうすることにより、バイアス磁界（外部磁界）中に置かれている磁気シールド３０８に、当該外部磁界を打ち消すような磁化を起こさせ、磁気シールド３０８内側の磁界を低減することができる（デガウス効果）。
【０００６】
【特許文献１】
特開２００１−２３８２２５号公報
【０００７】
【発明が解決しようとする課題】
しかしながら、従来の上記カラー受像管装置３００では、なお、若干の色ずれが画面のコーナー部付近で発生している。特に、近年の画面サイズの大型化による電子ビーム偏向角の増大や高画質化によるシャドウマスクにおけるマスク孔ピッチの縮小化に伴って、シャドウマスク（画面）のコーナー付近の色ずれの問題がクローズアップされている。
【０００８】
本発明は、上記した課題に鑑み、簡易な構成により、コーナー付近における色ずれがさらに解消された受像管装置を提供することを目的とする。
【０００９】
【課題を解決するための手段】
上記の目的を達成するため、本発明に係る受像管装置は、略方形をしたフェースパネルと、ネック部を有するファンネルとが接合されてなるガラスバルブと、略方形状をし、前記フェースパネル内面に沿って配された色選別電極と、前記ガラスバルブ外周に沿い、上下に対向して設けられた一対の消磁コイルとを有し、ネック部側から見た状態で、前記各消磁コイルは、色選別電極の各コーナー部毎に当該コーナー部を取り囲むような少なくとも１重のループ部を有することを特徴とする。
【００１０】
また、前記各消磁コイルは、前記色選別電極の上下辺に沿った平行部を有し、前記ループ部の一部が前記平行部の一部と重なるように形成されていることを特徴とする。
上記の目的を達成するため、本発明に係る受像管装置は、略方形をしたフェースパネルと、ネック部を有するファンネルとが接合されてなるガラスバルブと、略方形状をし、フェースパネル内面に沿って配された色選別電極と、前記ガラスバルブ外周に沿い、上下に対向して設けられた一対の主消磁コイルと、ネック部側から見て、前記色選別電極の各コーナー部毎に、前記ガラスバルブ外周に沿い、対応するコーナー部を取り囲むように巻回された補助消磁コイルとを備えたことを特徴とする。
【００１１】
また、前記主消磁コイルは、色選別電極の上下辺に沿った平行部を有し、前記各補助コイルは、その一部が前記平行部の一部と重なるように形成されていることを特徴とする。
【００１２】
【発明の実施の形態】
以下、本発明の実施の形態について、図面を参照しながら説明する。
（実施の形態１）
図１は、実施の形態１に係るカラー受像管装置１０の概略構成を示す側方から見た半断面図であり、図２は、当該カラー受像管装置１０の概略構成を示す分解斜視図である。なお、カラー受像管装置１０は、アスペクト比１６：９で３２インチサイズのフラットパネル型のカラー受像管装置である。
【００１３】
カラー受像管装置１０は、カラー受像管１２、偏向ヨーク１４、および消磁コイル１６等から成る。
カラー受像管１２は、フェースパネルである前面平面パネル（以下、「平面パネル」と言う。）１８とファンネル２０とが接合されてなるガラスバルブ２２内にインライン型電子銃（以下、単に「電子銃」と言う。）２４、色選別電極であるシャドウマスク２６、および内部磁気シールド２８などが収納されて構成されている。ここで、管軸をＺ軸にとった場合の直交座標系を図１および図２に示すように定めることとし、Ｘ軸方向を水平方向、Ｙ軸方向を垂直方向と言うこととする。また、Ｘ−Ｚ平面を境界として上下を規定し、Ｙ−Ｚ平面を境界とし平面パネル１８側から見て左右を規定することとする。
【００１４】
平面パネル１８の内面には、赤、緑、青の各蛍光体ドットが規則正しく配列されてなる蛍光体スクリーン（不図示）が形成されている。前記シャドウマスク２６は当該蛍光体スクリーンとほぼ並行して設けられている。シャドウマスク２６には電子ビーム通過孔が多数設けられ、ファンネル２０のネック部２３に収納された電子銃２４から射出される３本の電子ビーム３０がそれぞれの蛍光体に正しく当たるようになっている。
【００１５】
内部磁気シールド２８は、地磁気その他の外部磁気であって、カラー受像管１２に対し、主に水平方向および垂直方向に入射する磁気が電子ビーム３０に与える影響を低減するためのものである。内部磁気シールド２８は、電子銃２４から射出されて垂直方向および水平方向に偏向される電子ビーム３０の飛翔領域を取り囲むように、電子銃２４から蛍光体スクリーンに向いファンネル内面に沿って拡がる中空の略多角錐（本例では、略四角錐）の頂点を含む部分を切除してなる略多角錐枠形状（本例では、略四角錐枠形状）をしている。
【００１６】
内部磁気シールド２８は、その蛍光体スクリーン側開口端部分がシャドウマスク２６と数箇所においてスポット溶接によって接合されている。そして、シャドウマスク２６は、主にカラー受像管１２の管軸方向に入射する外部磁気をシールドすることとなり、当該シャドウマスク２６と前記内部磁気シールド２８とで、磁気シールド３２が構成される。
【００１７】
偏向ヨーク１４は、ファンネル２０外周に設けられており、電子銃２４から射出される３本の電子ビーム３０を上下・左右に偏向し、ラスタースキャン方式で蛍光体スクリーンを走査させるものである。
次に、消磁コイル１６について、図３も参照しながら説明する。なお、図３は、消磁コイル１６とガラスバルブ２２とシャドウマスク２６のみを表した、カラー受像管装置１０の背面図（カラー受像管装置１０をネック部２３側から見た図）である。
【００１８】
消磁コイル１６は、ガラスバルブ２２の上下に配設された上部消磁コイル３４と下部消磁コイル３６とから成る。上部消磁コイル３４と下部消磁コイル３６とは、Ｘ−Ｚ平面に関して略対称に設けられており、その材質なども同じものなので、ここでは、上部消磁コイル３４を代表にして説明する。
上部消磁コイル３４は、素線径１．２［ｍｍ］の銅線が１０本束ねられてなるもの（以下、「コイル線」と言う。）が下記のように敷設されてなるものである。上部消磁コイル３４は、略方形をしたシャドウマスク２６の上辺に沿って平行に敷設された平行部３４Ｐと、平行部３４Ｐの両端から延出され、ガラスバルブ２２側面を経由し、ファンネル２０外周に沿って当該ファンネル２０を横断する横断部３４Ｓとを有する。
【００１９】
また、特に図３から分かるように、上部消磁コイル３４は、シャドウマスク２６の四隅（コーナー部）に対応する位置において、ループ部３４Ｌを有する。ここで、ループ部とは、コイル線の交差点を起点および終点とし、当該コイル線で閉じられた輪の部分を言う。各ループ部３４Ｌは、シャドウマスク２６の対応するコーナー部２６ｃを取り囲むように１重に巻回されて形成されている。また、ループ部３４Ｌの一部は、前記平行部３４Ｐの端部部分の一部において重なるように形成されている。一部が平行部３４Ｐと重なると言うことは、シャドウマスク２６の上辺に沿う部分が形成されると言うことであり、これにより、ループ部３４Ｌはシャドウマスク２６に可能な限り接近する区間を有することとなる。その結果、当該区間において生じるじ磁束を効果的にシャドウマスク２６に通すことができるようになる。
【００２０】
ここで、下部消磁コイル３６の各部にも、上部消磁コイル３４に用いたのと同じアルファベットの添え字を付すこととする。
上部消磁コイル３４と下部消磁コイル３６は、減衰交番電流を通電した際のある瞬間において、図３に矢印で示す方向に電流が流れるように電源回路（不図示）が接続されていると共に、ループ部３４Ｌ，３６Ｌが形成されている。
【００２１】
上記の構成からなる消磁コイル１６に、図外の電源回路から減衰交番電流が給電され、減衰交番磁界が発生する。なお、消磁コイル３４の消磁起磁力は、３０００［ＡＴ］に設定されている。
磁気シールドにおけるシャドウマスクのコーナー付近は、当該シャドウマスクと内部磁気シールドとで三角錐状になっており、磁気シールドの他の部分と比較して磁性部材が集中している。そのため、従来のカラー受像管装置において、前記コーナー付近には、減衰交番磁界による磁束が他の部分と比較して十分に通らず磁化が不十分となる。その結果、コーナー付近のデガウス効果が不十分となり、当該コーナー付近での色ずれ防止が十分に図られていない。これに対処するため、コーナー付近に必要な磁束が通るように減衰交流電流を増大させることも考えられるが、消費電力が増大すると共に、コーナー付近以外の部分では、不必要な磁化を生じさせることとなる。
【００２２】
そこで、本実施の形態では、上記ループ部３４Ｌ，３６Ｌを設けることとしたのである。上記ループ部３４Ｌ，３６Ｌの存在により、シャドウマスクにおいて従来不足していたコーナー領域を通過する磁束が十分に確保でき、その結果、シャドウマスク２６の全体に渡って、地磁気その他の外部磁気をキャンセルするために十分な磁化が発生することとなる。
【００２３】
ここで、デガウス操作時において、シャドウマスクを通過する磁束の密度に関し、実施の形態１に係るカラー受像管装置と従来のカラー受像管装置とで比較を行なった。
従来のカラー受像管装置２００の背面図を図４に示す。図４は、図３に対応する図である。図４において、２０２で示すのはガラスバルブであり、２０４で示すのがシャドウマスクである。また、２０６で示すのが上部消磁コイルであり、２０８で示すのが下部消磁コイルであって、両者で消磁コイル２１０が構成されている。図４から分かるように、実施の形態１に係るカラー受像管装置との違いは、ループ部の有無のみである。
【００２４】
図５に比較結果を示す。当該比較はコンピュータを用いたシミュレーションによってなされた。なお、消磁コイルの敷設態様は、図３、図４に示した通りであるが、コンピュータシミュレーションによるため、消磁コイルは、線径が４［ｍｍ］の単線からなるものとした。また、消磁起磁力は３０００［ＡＴ］に設定した。
【００２５】
図５は、消磁コイルに減衰交番電流を通電した直後、すなわち、デガウス操作において消磁コイルに最大の電流が流れる際（発生する磁束が最大となる際）のシャドウマスクを通過する磁束の密度の分布を表したものであり、（ａ）は従来のものを、（ｂ）は実施の形態１のものである。なお、図５では、平面パネル側から見て、Ｘ−Ｙ平面における第１象限部分のみを表している。第２〜４象限の磁束密度の分布は、当該第１象限とＸ軸、Ｙ軸または原点に関して、ほぼ対象に現われる。
【００２６】
既に述べたように、シャドウマスク（磁気シールド）に流れる磁束が多いほど、デガウス操作後に得られる磁化の程度が高くなる。ここで、図５から分かるように、従来不足していたコーナー領域における磁束が実施の形態１に係るカラー受像管装置では、従来と比べて約４倍に増加しており、これによって、当該コーナー領域における磁化も大きくなる。すなわち、デガウス効果が改善されることとなり、その結果、平面パネルのコーナー領域における色ずれを低減するこが可能となる。
【００２７】
以上説明したように、実施の形態１に係るカラー受像管装置では、シャドウマスクのコーナー部に対応する位置で、コイル線をループさせて敷設するといった簡易な構成によって、外部磁気に起因して生じる当該コーナー領域の色ずれを効果的に低減することが可能となる。
（実施の形態２）
実施の形態２に係るカラー受像管装置１００の背面図（図３に対応するもの）を図６に示す。
【００２８】
実施の形態２に係るカラー受像管装置１００は、消磁コイル以外は実施の形態１と基本的に同じ構成である。したがって、共通部分の説明は省略し、消磁コイルを中心に説明する。
カラー受像管装置２００の消磁コイル１０２は、主消磁コイル１０４と４個の補助消磁コイル１１０，１１２，１１４，１１６とで構成される。
【００２９】
主消磁コイル１０４は、図３に示した消磁コイル１６においてループ部を除いた形態の消磁コイル（シャドウマスクのコーナー部でループさせることなくコイル線を敷設したもの）であり、上部消磁コイル１０６と下部消磁コイル１０８とからなる。
補助消磁コイル１１０〜１１６は、上記消磁コイル１６のループ部３４Ｌ，３６Ｌに代わるものであり、ガラスバルブ２２の外周に沿って設けられている。各補助消磁コイル１１０〜１１６は、１重のループコイルであり、ネック部側から見て、当該ループの内側にシャドウマスク２６の対応するコーナー部２６Ｃが入るような位置に配されている。また、各補助消磁コイル１１０〜１１６は、主消磁コイル１０４における平行部１０６Ｐ，１０８Ｐの一部と重なるように形成されている。重なるように形成したことの効果は、実施の形態１の場合と同様である。
【００３０】
上記主消磁コイル１０４と補助消磁コイル１１０〜１１６には、同期させた周期の減衰交番電流が通電される。ここで、減衰交番電流を通電した際のある瞬間における各消磁コイルに流れる電流の向きをコイル線に記入した矢印の向きで表わす。なお、補助消磁コイル１１０〜１１６と主消磁コイル１０４とは互いに独立して設けられているので、両者の間で減衰交番電流の大きさを異ならせることが可能である。
【００３１】
以上説明した実施の形態２のカラー受像管装置１００においても、実施の形態１の場合と同様、上記ループ形状をした補助消磁コイル１１０〜１１６によって、シャドウマスクにおいて従来不足していたコーナー領域を通過する磁束が十分に確保でき、その結果、シャドウマスクの全体に渡って、地磁気その他の外部磁気をキャンセルするために十分な磁化を発生させることが可能となる。
【００３２】
以上、本発明を実施の形態１および実施の形態２に基づいて説明してきたが、本発明は、上記した形態に限らないことは勿論であり、例えば、以下のような形態とすることもできる。
（１）実施の形態１におけるループ部および実施の形態２における補助消磁コイルは、それぞれ１重であったが、２重以上としても構わない。
（２）実施の形態１の消磁コイルと実施の形態２の補助消磁コイルとを組合せて消磁コイルを構成することとしても構わない。
【００３３】
【発明の効果】
以上説明したように、本発明に係る受像管装置によれば、シャドウマスクのコーナー部を取り囲むループ部の存在により、消磁コイルで発生する磁束をシャドウマスクのコーナー付近に効果的に通すことができるので、当該コーナー付近におけるデガウス操作後の磁化が強くなる。その結果、前記コーナー付近における色ずれを低減することが可能となる。
【００３４】
また、本発明に係る受像管装置によれば、シャドウマスクのコーナー部毎に当該コーナー部を取り囲むように巻回された補助消磁コイルが設けられているので、上記ループ部を有する受像管装置と同様の効果が得られる。
【図面の簡単な説明】
【図１】実施の形態１に係るカラー受像管装置の半断面図である。
【図２】上記カラー受像管装置の分解斜視図である。
【図３】上記カラー受像管装置の背面図である。
【図４】上記カラー受像管装置の比較対象となる従来のカラー受像管の背面図である。
【図５】実施の形態１に係るカラー受像管と従来のカラー受像管とで、デガウス効果の違いを説明するための図である。
【図６】実施の形態２に係るカラー受像管装置の背面図である。
【図７】（ａ）は、従来のカラー受像管装置を表す側面図である。
（ｂ）は、上記従来のカラー受像管装置の背面図である。
【符号の説明】
１６    消磁コイル
１８    前面平面パネル
２０    ファンネル
２２    ガラスバルブ
２３    ネック部
２６    シャドウマスク
２６Ｃ  コーナー部
３４    上部消磁コイル
３４Ｌ  ループ部
３４Ｐ  平行部
３６    下部消磁コイル
３６Ｌ  ループ部
２６Ｐ  平行部
１０２    消磁コイル
１０４    主消磁コイル
１０６    上部消磁コイル
１０８    下部消磁コイル
１１０，１１２，１１４，１１６    補助消磁コイル
【図１】
2004304345.tif 000003
【図２】
2004304345.tif 000004
【図３】
2004304345.tif 000005
【図４】
2004304345.tif 000006
【図５】
2004304345.tif 000007
【図６】
2004304345.tif 000008
【図７】
2004304345.tif 000009